(57)【要約】      （修正有）【課題】様々な種類の媒体を剪断可能なカッター刃ユニットを提供する。【解決手段】カッター刃ユニット３０は、第１刃３７と、第２刃３８と、前記第１刃と前記第２刃との相対的な位置を変更可能な位置変更部６０と、を有する。位置変更部は、前記第１刃と前記第２刃とのせらし角を変更可能である。位置変更部は、前記第１刃と前記第２刃との重なり量を変更可能である。前記第１刃及び第２刃のうち、一方の刃を駆動可能とし、前記位置変更部は、駆動しない他方の刃の位置を変更する。【選択図】図３
2016093865.tif 000002
【特許請求の範囲】
【請求項１】
第１刃と、
第２刃と、
前記第１刃と前記第２刃との相対的な位置を変更可能な位置変更部と、を有することを特徴とするカッター刃ユニット。
【請求項２】
請求項１に記載のカッター刃ユニットにおいて、
前記位置変更部は、前記第１刃と前記第２刃とのせらし角を変更可能であることを特徴とするカッター刃ユニット。
【請求項３】
請求項１に記載のカッター刃ユニットにおいて、
前記位置変更部は、前記第１刃と前記第２刃との重なり量を変更可能であることを特徴とするカッター刃ユニット。
【請求項４】
請求項１から請求項３のいずれか一項に記載のカッター刃ユニットにおいて、
前記第１刃及び第２刃のうち、一方の刃を駆動可能とし、前記位置変更部は、駆動しない他方の刃の位置を変更することを特徴とするカッター刃ユニット。
【請求項５】
請求項１から請求項４のいずれか一項に記載のカッター刃ユニットにおいて、
前記位置変更部は、多段階で変更可能であることを特徴とするカッター刃ユニット。
【請求項６】
請求項１から請求項４のいずれか一項に記載のカッター刃ユニットにおいて、
前記位置変更部は、無段階で変更可能であることを特徴とするカッター刃ユニット。
【請求項７】
カッター刃ユニットを備え、
前記カッター刃ユニットは、
第１刃と、第２刃と、前記第１刃と前記第２刃との相対的な位置を変更可能な位置変更部と、を有することを特徴とする記録装置。
【発明の詳細な説明】
【技術分野】
【０００１】
本発明は、カッター刃ユニット及び記録装置に関する。
【背景技術】
【０００２】
従来、第１丸刃と第２丸刃とを有するカッターユニットを備え、第１丸刃及び第２丸刃の姿勢が、カッターユニットが移動する被記録媒体の幅方向に対して、被記録媒体を剪断する際のカッターユニットの進行方向前側が互いに接近する方向に傾いている記録装置が知られている（例えば、特許文献１参照）。
【先行技術文献】
【特許文献】
【０００３】
【特許文献１】特開２０１０−１４９２４３号公報
【発明の概要】
【発明が解決しようとする課題】
【０００４】
しかしながら、上記装置では、被記録媒体を幅方向に剪断することが記載されているが、例えば、厚みが比較的薄い被記録媒体を剪断する場合と厚みが比較的厚い被記録媒体を剪断する場合とで第１丸刃と第２丸刃との姿勢を変更していない。従って、例えば、被記録媒体の厚みによっては剪断しにくいものが発生してしまう、という課題があった。
【課題を解決するための手段】
【０００５】
本発明は、上述の課題の少なくとも一部を解決するためになされたものであり、以下の形態または適用例として実現することが可能である。
【０００６】
［適用例１］本適用例にかかるカッター刃ユニットは、第１刃と、第２刃と、前記第１刃と前記第２刃との相対的な位置を変更可能な位置変更部と、を有することを特徴とする。
【０００７】
この構成によれば、第１刃と第２刃との相対的な位置が変更可能となり、例えば、厚みが比較的薄い媒体や厚みが比較的厚い媒体等、種々の媒体に対し、各々の媒体の剪断に適した状態で媒体を剪断することができる。
【０００８】
［適用例２］上記適用例にかかるカッター刃ユニットの前記位置変更部は、前記第１刃と前記第２刃とのせらし角を変更可能であることを特徴とする。
【０００９】
この構成によれば、各々の媒体の剪断に適したせらし角に変更することで媒体を容易に剪断することができる。
【００１０】
［適用例３］上記適用例にかかるカッター刃ユニットの前記位置変更部は、前記第１刃と前記第２刃との重なり量を変更可能であることを特徴とする。
【００１１】
この構成によれば、各々の媒体の剪断に適した重なり量に変更することで媒体を容易に剪断することができる。
【００１２】
［適用例４］上記適用例にかかるカッター刃ユニットでは、前記第１刃及び第２刃のうち、一方の刃を駆動可能とし、前記位置変更部は、駆動しない他方の刃の位置を変更することを特徴とする。
【００１３】
この構成によれば、駆動する方の刃の位置を固定し、駆動しない他方の刃の位置を変更させることにより、駆動する方の刃に接続される駆動部等の移動等の変更を行う必要がなくなり、構造を簡易化することができる。
【００１４】
［適用例５］上記適用例にかかるカッター刃ユニットの前記位置変更部は、多段階で変更可能であることを特徴とする。
【００１５】
この構成によれば、媒体の種類に応じて、ユーザーが第１刃と第２刃との位置を容易に変更設定することができる。
【００１６】
［適用例６］上記適用例にかかるカッター刃ユニットの前記位置変更部は、無段階で変更可能であることを特徴とする。
【００１７】
この構成によれば、剪断する各媒体に対して最も適切な第１刃と第２刃との位置に合わせることができる。
【００１８】
［適用例７］本適用例にかかる記録装置は、カッター刃ユニットを備え、前記カッター刃ユニットは、第１刃と、第２刃と、前記第１刃と前記第２刃との相対的な位置を変更可能な位置変更部と、を有することを特徴とする。
【００１９】
この構成によれば、各々の媒体に適した第１刃と前記第２刃との位置を変更することにより、容易に媒体を剪断可能な記録装置を提供することができる。
【図面の簡単な説明】
【００２０】
【図１】第１実施形態にかかる記録装置の構成を示す概略斜視図。
【図２】第１実施形態にかかる記録装置の一部構成を示す概略側面図。
【図３】第１実施形態にかかるカッター刃ユニットの構成を示す正面図。
【図４】第１実施形態にかかるカッター刃ユニットのせらし角の変更状態を示す説明図。
【図５】第２実施形態にかかるカッター刃ユニットの構成を示す正面図。
【図６】第２実施形態にかかるカッター刃ユニットの重なり量の変更状態を示す説明図。
【発明を実施するための形態】
【００２１】
以下、本発明の第１及び第２実施形態について、図面を参照して説明する。なお、以下の各図においては、各部材等を認識可能な程度の大きさにするため、各部材等の尺度を実際とは異ならせて示している。
【００２２】
（第１実施形態）
まず、記録装置の構成について説明する。記録装置は、例えば、液体噴射ヘッドとしての記録ヘッドから記録紙等の記録媒体へインクを噴射して記録媒体への記録を実行するインクジェット式記録装置である。
【００２３】
また、液体噴射ヘッドとしては、インクを噴射するヘッドの他、例えば、液晶ディスプレイ等のカラーフィルター製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００２４】
図１は、記録装置の構成を示す概略斜視図であり、図２は、記録装置の一部構成を示す概略側面図である。図１及び図２に示すように、記録装置１は、例えば、ＪＩＳ規格のＡ０判やＢ０判などといった比較的大型サイズの幅を有する記録媒体としてのロール紙Ｐにまで記録できる大型のプリンターであり、ロール紙供給部３及び記録実行部４を備えた本体部２と、排紙受け部５とを備えて構成されている。本体部２はベース９に立設された支柱８の上部に設けられており、記録の行われたロール紙Ｐを斜め下方に排出する排出口６を有している。排出口６の下方にはスタッカー１０の開口部７が位置しており、記録の行われたロール紙Ｐが排出口６から開口部７へ向けて排出され、スタッカー１０によって受け止められる。
【００２５】
ロール紙供給部３にはロール紙Ｐが巻き取られたロール（以下「ロール」と言う）Ｒが収納可能に構成され、ロールＲからロール紙Ｐが繰り出され、記録を実行する記録実行部４へと斜め下方へ供給される。そして、ロール紙ホルダー（図示せず）に、ロールＲがセットされる。ロール紙供給時には、ロール紙ホルダーがロール駆動手段としてのスピンドルモーター（図示せず）により回転駆動されることにより、ロール紙Ｐが下流側に供給される。
【００２６】
記録実行部４は、ロール紙Ｐに対し液体としてのインクを吐出（噴射）する、液体噴射手段或いは記録手段としての記録ヘッド１２と、記録ヘッド１２と対向配置されるプラテン１１と、記録ヘッド１２の上流側に設けられ、ロール紙Ｐを下流側へ搬送する搬送駆動ローラー（搬送ローラー）１３及びこれに圧接して従動回転する搬送従動ローラー１４と、を有している。
【００２７】
記録ヘッド１２はキャリッジ１８に設けられ、キャリッジ１８は、記録ヘッド１２の走査方向（主走査方向、Ｘ軸方向）に延びるガイド軸（図示せず）と、同様に主走査方向（Ｘ軸方向）に延びるガイド板（図示せず）と、によってガイドされながら、図示しないモーターの動力を受けて主走査方向に移動する。記録ヘッド１２の下流側には、用紙吸引部としてのエア吸引手段１６が設けられており、このエア吸引手段１６によって記録ヘッド１２の下流側においてロール紙Ｐが浮き上がらないように規制状態に置かれ、ロール紙Ｐの浮き上がりによる記録品質の低下が防止されるようになっている。
【００２８】
そして、エア吸引手段１６の給送方向下流側には、ロール紙Ｐを切断する切断部２０が設けられている。
【００２９】
切断部２０は、カッター刃ユニット３０と、カッター刃ユニット３０が搭載されるカッターキャリッジ３１と、カッターキャリッジ３１をＸ軸方向に案内するカッターガイド２５等を備えている。そして、カッターキャリッジ３１は、図示しないモーターの動力を受けてカッターガイド２５に沿ってＸ軸方向を移動方向として往復移動可能に構成されている。これにより、カッター刃ユニット３０もＸ軸方向（ロール紙Ｐの幅方向）を往復移動可能となる。
【００３０】
次に、カッター刃ユニットの構成について説明する。図３はカッター刃ユニットの構成を示す正面図である。図３に示すように、カッター刃ユニット３０は、第１刃３７と第２刃３８とを有し、ロール紙Ｐを剪断することができるように設けられている。また、第１刃３７と第２刃３８との相対的な位置を変更可能な位置変更部６０を備えている。
【００３１】
そして、第１刃３７と第２刃３８とが協働してロール紙Ｐを剪断するように構成されている。具体的には、第１刃３７は、ロール紙Ｐの記録面（表面）側で、かつ、第２刃３８より給送方向上流側に設けられている。一方、第２刃３８は、ロール紙Ｐの記録面と反対面（裏面）側で、かつ、第１刃３７より給送方向下流側に設けられている。
【００３２】
また、カッター刃ユニット３０における給送方向上流側には、剪断された上流側のロール紙Ｐを案内する第１傾斜部３３及び第２傾斜部３４が設けられている。また、カッター刃ユニット３０における給送方向下流側には、剪断された下流側のロール紙Ｐを案内する第３傾斜部３５及び第４傾斜部３６が設けられている。そして、給送方向上流側に設けられた第１傾斜部３３と第２傾斜部３４とによって構成される溝部と、給送方向下流側に設けられた第３傾斜部３５と第４傾斜部３６とによって構成される溝部に倣って、剪断されたロール紙Ｐを容易に案内することができる。
【００３３】
また、本実施形態では、第２刃３８は、Ｘ軸方向への移動に伴い駆動回転するように構成され、第１刃３７は、Ｘ軸方向への移動に伴いロール紙Ｐの押し圧により従動回転するように構成されている。また、第２刃３８は、ロール紙Ｐを巻き込む方向（図３における反時計方向）に回動する。従って、より確実にロール紙Ｐを剪断することができる。言い換えると、カッター刃ユニット３０がロール紙Ｐに対して幅方向Ｘの力を及ぼす虞が殆どない。
【００３４】
次に、位置変更部の構成について説明する。位置変更部６０は、第１刃３７と第２刃３８との相対的な位置を変更可能に構成されたものであり、本実施形態の位置変更部６０は、第１刃３７と第２刃３８とのせらし角を変更可能に構成されている。本実施形態の位置変更部６０では、第１刃３７及び第２刃３８のうち、一方の刃の第２刃３８を駆動可能とし、駆動しない他方の刃の第１刃３７の位置を変更可能に構成されている。具体的には、図３に示すように、位置変更部６０は、第１刃３７の回転軸Ｓを支持する支持部６１を有している。支持部６１はカッター刃ユニット３０のケース３２の外側に配置された切替部６２に接続されている。そして、切替部６２をＺ軸中心に回転させることにより支持部６１が移動する。これにより、第２刃３８の位置が変更（回転移動）し、第１刃３７と第２刃３８とのせらし角が調整可能となる。このように、駆動させる第２刃３８の位置を固定し、従動する第１刃３７の方を回転移動可能な構成とすることにより、第２刃３８に接続される駆動構造の構成を複雑化する必要がなく、容易にせらし角を変更可能に構成できる。
【００３５】
次に、カッター刃ユニットのせらし角の変更状態について説明する。図４は、カッター刃ユニットのせらし角の変更状態を示す説明図（平面図）である。
【００３６】
ここで、せらし角について説明する。図４（ａ）に示すように、丸刃である第１刃３７の外周部の刃先には第１傾斜面３７ａが設けられている。第１傾斜面３７ａは第１刃３７の姿勢に対して傾斜している。また、丸刃である第２刃３８の外周部の刃先には第２傾斜面３８ａが設けられている。第２傾斜面３８ａは第２刃３８の姿勢に対して傾斜している。そして、本実施形態においては、第２刃３８の姿勢は、Ｘ軸方向に対して平行に配置されている。一方、第１刃３７の姿勢は、Ｘ軸方向に対して角度θ（θ１）分傾いている。本実施形態において、当該角度θを「せらし角」ということにする。なお、第２刃３８の姿勢も、Ｘ軸方向に対して傾いていてもよい。ここで、記録装置１では、種々の媒体を適用することが可能であるが、第１刃３７と第２刃３８とで構成されるせらし角θが常に一定に固定された場合、例えば、厚みの異なる種々の用紙Ｐを使用しようとした場合、各厚みの異なる用紙Ｐにかかる剪断力が適切でないため、剪断しにくい場合が生じる。そこで、本実施形態では、位置変更部６０により、多段階でせらし角θを変更可能な構成としている。多段階でせらし角θを変更可能な構成であれば、設定されているせらし角θに切り換えやすく、所望のせらし角θに合わせることが容易である。なお、本実施形態では、せらし角θを３段階で変更可能な形態について説明する。
【００３７】
図４（ａ）では、第１刃３７と第２刃３８とのせらし角をθ１として設定した構成を示している。図４（ｂ）では、第１刃３７と第２刃３８とのせらし角θ２が図４（ａ）におけるせらし角θ１よりも小さくなるように設定した構成を示している。また、図４（ｃ）では、第１刃３７と第２刃３８とのせらし角θ３が図４（ａ）におけるせらし角θ１よりも大きくなるように設定した構成を示している。なお、各せらし角θ１，θ２，θ３の変位は、位置変更部６０により容易に設定可能である。
【００３８】
ここで、例えば、比較的厚みが薄い用紙Ｐと比較的厚みが厚い用紙Ｐとを剪断する場合、比較的厚みが厚い用紙Ｐを剪断する方がカッター刃ユニット３０の剪断力を高める必要があるため、せらし角θをより大きく設定した方が好適である。そこで、本実施形態では、例えば、標準的な厚みを有する用紙Ｐ（ｔ＝０．１ｍｍ〜０．３ｍｍ）の場合には、図４（ａ）に示すように、せらし角θ１（例えば、θ１＝３°）と設定し、標準的な厚みよりも薄い用紙Ｐ（ｔ＝０．１ｍｍ未満）の場合には、図４（ｂ）に示すように、せらし角θ２（例えば、θ２＝１°〜２°）と設定し、標準的な厚みよりも厚い用紙Ｐ（ｔ＝０．３ｍｍ超え）の場合には、図４（ｃ）に示すように、せらし角θ３（例えば、θ３＝４°〜５°）と設定している。このようにすれば、厚みの異なる各用紙Ｐに対して適切なせらし角θ（θ１，θ２，θ３）を設定することにより、厚みの異なる各用紙Ｐを容易に剪断することができる。なお、本実施形態では、厚みの異なる用紙Ｐに対応してせらし角θ（θ１，θ２，θ３）を変更させたが、これに限定されず、媒体としては、フィルムや布等を用いることができる。そして、剪断する媒体の剛性や硬さ等の性質（性状）を考慮し、せらし角θを適宜設定することができる。
【００３９】
以上、上記実施形態によれば、以下の効果を得ることができる。
【００４０】
第１刃３７と第２刃３８とのせらし角θ（θ１，θ２，θ３）を可変することにより、例えば、厚みの異なる用紙Ｐ等様々な媒体を容易に剪断することができる。
【００４１】
（第２実施形態）
次に、第２実施形態について説明する。なお、記録装置の基本的な構成は第１実施形態の構成と同様なので説明を省略し、異なる部分、すなわち、カット刃ユニットの構成について説明する。
【００４２】
図５は、本実施形態にかかるカッター刃ユニットの構成を示す正面図である。図５に示すように、カッター刃ユニット３０ａは、第１刃３７と第２刃３８とを有し、ロール紙Ｐを剪断することができるように設けられている。また、カッター刃ユニット３０ａは、カッターキャリッジ３１に搭載される。なお、これらの部材の構成は、第１実施形態の構成と同様なので説明を省略する。
【００４３】
本実施形態のカッター刃ユニット３０ａは、第１刃３７と第２刃３８との相対的な位置を変更可能な位置変更部７０を備えている。そして、位置変更部７０は、第１刃３７と第２刃３８との重なり量を変更可能に構成されている。本実施形態では、第１刃３７及び第２刃３８のうち、一方の刃の第２刃３８を駆動可能とし、位置変更部７０は、駆動しない他方の刃の第１刃３７の位置を変更可能に構成されている。具体的には、図５に示すように、位置変更部７０は、第１刃３７の回転軸Ｓを支持する平板部材であって、当該平板部材面に歯切りが形成されたラック部７１を有している。ラック部７１はカッター刃ユニット３０のケース３２の外側（正面部）に配置された切替部７２に接続されている。切替部７２は、円形歯車を有している。そして、切替部７２の歯車とラック部７１の歯とが噛み合い、切替部７２の歯車を回転させるとラック部７１がＺ軸方向に移動するように構成されている。これにより、ラック部７１に支持された第１刃３７がＺ軸方向に移動可能となり、第１刃３７と第２刃３８との重なり量が調整可能となる。
【００４４】
次に、カッター刃ユニットの重なり量の変更状態について説明する。図６は、カッター刃ユニットの重なり量の変更状態を示す説明図である。
【００４５】
まず、重なり量について説明する。図６（ａ）に示すように、カッター刃ユニット３０ａでは、第１刃３７の刃先と第２刃３８の刃先とが重なった姿勢をとっている。ここで、第１刃３７と第２刃３８とが重なった重なり量Ｌを「重なり量」ということにする。すなわち、本実施形態では、第１刃３７と第２刃３８とがＺ軸方向に重なった重なり寸法を「重なり量」ということにする。
【００４６】
ここで、記録装置１では、種々の媒体を適用することが可能であるが、第１刃３７と第２刃３８との重なり量Ｌが常に一定に固定された状態では、例えば、厚みの異なる用紙Ｐが使用された場合、各厚みの用紙Ｐにかかる剪断力が適切でないため、剪断しにくくなる場合が生じる。そこで、本実施形態では、位置変更部７０により、多段階で重なり量Ｌを変更可能な構成としている。なお、本実施形態では、重なり量Ｌを３段階で変更可能な形態について説明する。
【００４７】
図６（ａ）では、第１刃３７と第２刃３８との重なり量Ｌ１として設定した構成を示している。図６（ｂ）では、第１刃３７と第２刃３８との重なり量Ｌ２が図６（ａ）における重なり量Ｌ１よりも小さくなるように設定した構成を示している。また、図６（ｃ）では、第１刃３７と第２刃３８との重なり量Ｌ３が図６（ａ）における重なり量Ｌ１よりも大きくなるように設定した構成を示している。なお、各重なり量Ｌ１，Ｌ２，Ｌ３の変位は、位置変更部７０により容易に設定可能である。
【００４８】
ここで、例えば、比較的厚みが薄い用紙Ｐと比較的厚みが厚い用紙Ｐとを剪断する場合、比較的厚みが厚い用紙Ｐを剪断する方がカッター刃ユニット３０ａの剪断力を高める必要があるため、重なり量Ｌをより大きく設定した方が好適である。そこで、本実施形態では、例えば、標準的な厚みを有する用紙Ｐ（ｔ＝０．１ｍｍ〜０．３ｍｍ）の場合には、図６（ａ）に示すように、重なり量Ｌ１（例えば、Ｌ１＝０．８ｍｍ）と設定し、標準的な厚みよりも薄い用紙Ｐ（ｔ＝０．１ｍｍ未満）の場合には、図６（ｂ）に示すように、重なり量Ｌ２（例えば、Ｌ２＝０．４ｍｍ）と設定し、標準的な厚みよりも厚い用紙Ｐ（ｔ＝０．３ｍｍ超え）の場合には、図６（ｃ）に示すように、重なり量Ｌ３（例えば、Ｌ３＝１．２ｍｍ）と設定している。このようにすれば、厚みの異なる各用紙Ｐに対して適切な重なり量Ｌ（Ｌ１，Ｌ２，Ｌ３）を設定することにより、厚みの異なる各用紙Ｐを容易に剪断することができる。なお、本実施形態では、厚みの異なる用紙Ｐに対応して重なり量Ｌ（Ｌ１，Ｌ２，Ｌ３）を変更させたが、これに限定されず、媒体としては、フィルムや布等を用いることができる。そして、剪断する媒体の剛性や硬さ等の性質（性状）を考慮し、重なり量Ｌを適宜設定することができる。
【００４９】
以上、本実施形態によれば、以下の効果を得ることができる。
【００５０】
第１刃３７と第２刃３８との重なり量Ｌ（Ｌ１，Ｌ２，Ｌ３）を可変することにより、厚みの異なる用紙Ｐ等様々な媒体を容易に剪断することができる。
【００５１】
なお、本発明は上述した実施形態に限定されず、上述した実施形態に種々の変更や改良などを加えることが可能である。変形例を以下に述べる。
【００５２】
（変形例１）上記第１及び第２実施形態において、駆動する第２刃３８の位置を固定し、
駆動しない第１刃３７の位置を変更したが、この構成に限定されない。例えば、駆動しない第１刃３７の位置を固定し、駆動する第２刃３８の位置を変更可能に構成してもよい。このようにしても、上記同様の効果を得ることができる。また、第１刃３７及び第２刃３８の両方の位置を変更可能としてもよい。このようにしても、上記同様の効果を得ることができる上に、様々な調整が可能となる。すなわち、移動方向（Ｘ軸方向）に対する第１刃３７及び第２刃３８の傾きを変更する場合は、第１刃３７及び第２刃３８の相対的な角度を調整し、せらし角θを変更しながら、第１刃３７及び第２刃３８それぞれの移動方向（Ｘ軸方向）に対する傾きも変更可能である。そのため、切り込み時に用紙Ｐ等様々な媒体に対する力の掛かり方も調整が可能である。また、Ｚ軸方向に移動させて第１刃３７と第２刃３８との重なり量を変更する場合は、第１刃３７及び第２刃３８の相対的な高さを調整し、重なり量を変更しながら、第１刃３７と第２刃３８が重なり始める交点位置も変更可能なため、用紙Ｐ等様々な媒体に対する交点位置も調整可能である。そのため、用紙Ｐ等様々な媒体に対する切り込みやすさも調整が可能である。
【００５３】
（変形例２）上記第１及び第２実施形態では、第１刃３７及び第２刃３８のうち、第２刃３８を駆動させたが、この構成に限定されない。第１刃３７及び第２刃３８をともに駆動させず、カッター刃ユニット３０，３０ａをＸ軸方向に移動させた際、用紙Ｐの押し圧に追従して回転する従動刃としてもよい。このようにすれば、切断部２０（カッター刃ユニット３０，３０ａ）を簡易化することができる。また、第１刃３７及び第２刃３８をともに駆動させてもよい。このようにすれば、より容易に用紙Ｐ等様々な媒体を剪断することができる。
【００５４】
（変形例３）上記第１及び第２実施形態の位置変更部６０，７０は、多段階（実施形態では３段階）で変更可能としたが、これに限定されない。例えば、位置変更部は、無段階で変更可能としてもよい。このようにすれば、種々の媒体に対して、各媒体に対して最も適切な条件で剪断することができる。
【００５５】
（変形例４）上記第１及び第２実施形態では、第１刃３７は、ロール紙Ｐの記録面（表面）側で、かつ、第２刃３８より給送方向上流側に設け、第２刃３８は、ロール紙Ｐの記録面と反対面（裏面）側で、かつ、第１刃３７より給送方向下流側に設けたが、この構成に限定されない。例えば、使用（剪断）する媒体に応じて、第１刃３７と第２刃３８とにおける給送方向の配置位置を適宜設定しもよい。例えば、第１刃３７を、ロール紙Ｐの記録面と反対面（裏面）側で、かつ、第２刃３８より給送方向下流側に設け、第２刃３８を、ロール紙Ｐの記録面（表面）側で、かつ、第１刃３７より給送方向上流側に設けてもよい。このようにすれば、記録されたロール紙Ｐを剪断する際、給送方向上流側において第１刃３７がロール紙Ｐの記録面と反対面（裏面）側で切断するため、記録面に直接触れること無く、画像品質を向上させることができる。
【００５６】
（変形例５）上記第１実施形態、第２実施形態及び上記変形例の構成を適宜組み合わせても適用してもよい。このようにすれば、媒体の性質等に合わせて第１刃３７と第２刃３８との位置を適宜変更することにより、種々の媒体を容易に剪断することができる。
【符号の説明】
【００５７】
１…記録装置、３０，３０ａ…カッター刃ユニット、３７…第１刃、３８…第２刃、６０，７０…位置変更部。
【図１】
2016093865.tif 000003
【図２】
2016093865.tif 000004
【図３】
2016093865.tif 000005
【図４】
2016093865.tif 000006
【図５】
2016093865.tif 000007
【図６】
2016093865.tif 000008